(57)【要約】【課題】デジタル放送受信機のアナログコンポシットビデオ出力端子等から出力される映像信号を視聴する場合には視聴制限が有効に動作しなかった。【解決手段】本発明の映像再生出力装置は、デジタル放送を受信する受信手段と、受信手段が受信したデジタル放送から、映像データ及び映像データに関する関連情報を復元する復元手段と、復元手段が復元した関連情報から、視聴制限情報を抽出する視聴制限情報抽出手段と、復元手段が復元した映像データを、アナログ映像信号へと変換する映像変換手段と、視聴制限情報抽出手段が抽出した視聴制限情報を、映像変換手段が変換したアナログ映像信号へ重畳して出力する出力手段とを具備する。【選択図】図１
2006033677.tif 000002
【特許請求の範囲】
【請求項１】
デジタル放送を受信する受信手段と、
前記受信手段が受信した前記デジタル放送から映像データ及び前記映像データに関する関連情報を復元する復元手段と、
前記復元手段が復元した前記関連情報から視聴制限情報を抽出する視聴制限情報抽出手段と、
前記復元手段が復元した前記映像データをアナログ映像信号へと変換する映像変換手段と、
前記視聴制限情報抽出手段が抽出した前記視聴制限情報を、前記映像変換手段が変換した前記アナログ映像信号へ重畳して出力する出力手段とを具備することを特徴とする映像再生出力装置。
【請求項２】
前記映像再生出力装置は、さらに、
前記視聴制限情報抽出手段が抽出した前記視聴制限情報を、前記映像変換手段が変換した前記アナログ映像信号の映像規格に対応した前記視聴制限情報に変換する視聴制限情報変換手段を具備し、
前記出力手段は、前記視聴制限情報変換手段が変換した前記アナログ映像信号の映像規格に対応した前記視聴制限情報を、前記映像変換手段が変換した前記アナログ映像信号へ重畳して出力することを特徴とする請求項１記載の映像再生出力装置。
【請求項３】
前記映像再生出力装置は、さらに、
前記デジタル放送における映像規格に基づいた視聴制限情報と、前記アナログ映像信号の映像規格に基づいた視聴制限情報とを記憶する視聴制限情報変換テーブルを具備し、
前記視聴制限情報変換手段は、前記視聴制限情報変換テーブルを参照して、前記視聴制限情報抽出手段が抽出した前記視聴制限情報を、前記映像変換手段が変換した前記アナログ映像信号の映像規格に基づいた視聴制限情報に変換することを特徴とする請求項２記載の映像再生出力装置。
【請求項４】
前記復元手段は、前記デジタル放送におけるトランスポートストリームに含まれるＥＩＴ（Ｅｖｅｎｔ  Ｉｎｆｏｒｍａｔｉｏｎ  Ｔａｂｌｅ）、あるいはＰＭＴ（Ｐｒｏｇｒａｍ  Ｍａｐ  Ｔａｂｌｅ）から前記関連情報を復元し、
前記視聴制限情報抽出手段は、前記復元手段が復元した前記関連情報に含まれるｃｏｎｔｅｎｔ＿ａｄｖｉｓｏｒｙ＿ｄｅｓｃｒｉｐｔｏｒを抽出し、
前記視聴制限情報変換手段は、前記視聴制限情報変換テーブルを参照して、前記ｃｏｎｔｅｎｔ＿ａｄｖｉｓｏｒｙ＿ｄｅｓｃｒｉｐｔｏｒに含まれる前記視聴制限情報を、前記アナログ映像信号の映像規格に基づいた視聴制限情報に変換することを特徴とする請求項３記載の映像再生出力装置。
【請求項５】
前記視聴制限情報変換手段は、前記ｃｏｎｔｅｎｔ＿ａｄｖｉｓｏｒｙ＿ｄｅｓｃｒｉｐｔｏｒに含まれる前記視聴制限情報を、ＥＩＡ−６０８規格における拡張データサービスに基づいた視聴制限情報に変換することを特徴とする請求項４記載の映像再生出力装置。
【請求項６】
前記出力手段は、前記視聴制限情報変換手段が変換した前記アナログ映像信号の映像規格に対応した前記視聴制限情報とともに、前記復元手段が復元した前記関連情報に含まれる緊急情報としてのＥＡＳ（Ｅｍｅｒｇｅｎｔ  Ａｌｅｒｔ  Ｓｙｓｔｅｍ）情報を、前記映像変換手段が変換した前記アナログ映像信号へ重畳して出力することを特徴とする請求項２記載の映像再生出力装置。
【請求項７】
受信したデジタル放送から復元された映像データを、アナログコンポシットビデオ信号に変換して出力する映像再生出力方法であって、
前記映像データを前記アナログコンポシットビデオ信号に変換するステップと、
前記デジタル放送におけるトランスポートストリームに含まれるＥＩＴ（Ｅｖｅｎｔ  Ｉｎｆｏｒｍａｔｉｏｎ  Ｔａｂｌｅ）、あるいはＰＭＴ（Ｐｒｏｇｒａｍ  Ｍａｐ  Ｔａｂｌｅ）を復元するステップと、
前記ＥＩＴ（Ｅｖｅｎｔ  Ｉｎｆｏｒｍａｔｉｏｎ  Ｔａｂｌｅ）、あるいは前記ＰＭＴ（Ｐｒｏｇｒａｍ  Ｍａｐ  Ｔａｂｌｅ）に含まれるｃｏｎｔｅｎｔ＿ａｄｖｉｓｏｒｙ＿ｄｅｓｃｒｉｐｔｏｒを抽出するステップと、
前記ｃｏｎｔｅｎｔ＿ａｄｖｉｓｏｒｙ＿ｄｅｓｃｒｉｐｔｏｒに含まれる視聴制限情報を抽出するステップと、
前記視聴制限情報を、アナログ映像信号の映像規格に基づいた視聴制限情報に変換するステップと、
前記アナログコンポシットビデオ信号の垂直ブランキング期間に、変換された前記視聴制限情報を重畳して出力するステップとを有したことを特徴とする映像再生出力方法。
【請求項８】
前記映像再生出力方法は、さらに、前記トランスポートストリームに含まれる緊急情報としてのＥＡＳ（Ｅｍｅｒｇｅｎｔ  Ａｌｅｒｔ  Ｓｙｓｔｅｍ）情報を、前記アナログコンポシットビデオ信号の垂直ブランキング期間に重畳して出力するステップとを有したことを特徴とする請求項７記載の映像再生出力方法。
【発明の詳細な説明】
【技術分野】
【０００１】
本発明は、視聴制限するためのパレンタル情報をアナログ映像信号に重畳して出力する映像再生出力装置及び映像再生出力方法に関する。
【背景技術】
【０００２】
従来、字幕情報であるＣＣ（Ｃｌｏｓｅｄ  Ｃａｐｔｉｏｎ）情報をアナログ映像信号のＶＢＩ（Ｖｅｒｔｉｃａｌ  Ｂｌａｎｋｉｎｇ  Ｉｎｔｅｒｖａｌ）と呼ばれる垂直ブランキング期間に重畳して出力する映像再生出力装置が公知である（例えば、特許文献１参照）。
【０００３】
図１１に、従来の映像再生出力装置としてのデジタル放送受信機を示す。図１１において、チューナ１１で受信したデジタル放送電波はトランスポートストリームへと復調され、ＴＳデコーダ１２により音声パケットや映像パケット、及び情報データに復元される。音声パケットは、音声デコーダ１３により音声データに復元され、映像パケットは映像デコーダ１４により映像データに復元される。さらに、これらのデータは、映像音声出力部１５により、それぞれ音声信号、映像信号に変換され、スピーカ、モニタ等から受信した番組の映像音声が出力される。また、ＴＳデコーダ１２からの情報データは、サービス情報処理部９９１に供給される。サービス情報処理部９９１は、サービスに関する情報を含む情報データから、番組表を表示するためのＥＰＧデータを作成する。ＥＰＧデータは、合成部２２に供給され、マイクロコンピュータなどで構成される制御部１９からの指令に基づき、映像データと合成される。また、ＣＣ情報は、映像データに含まれており、合成部２２において映像データと合成される。このようにして、ユーザは、例えばユーザ入力部１８を介して指示することで、番組の視聴とともに、番組表や字幕を表示できる。さらに、合成部２２から出力される映像データは、ＮＴＳＣエンコーダ３１に供給され、ＮＴＳＣエンコーダ３１は、この映像データをアナログ映像信号であるＮＴＳＣコンポシット信号に変換して出力する。さらに、このＮＴＳＣコンポシット信号は、ＶＢＩ処理部３２により、垂直ブランキング期間に、映像デコーダ１４からのＣＣ情報が挿入される。このようなＣＣ情報が重畳されたＮＴＳＣコンポシット信号が、従来の映像再生出力装置から出力される。
【０００４】
このアナログのＮＴＳＣコンポシット信号は、モニタに接続されて視聴されるか、一旦、ＶＣＲまたはＤＶＤ等の録画機器に記憶されて、後日、モニタに接続されて視聴される。
【特許文献１】米国特許第５４３８３７０号明細書
【発明の開示】
【発明が解決しようとする課題】
【０００５】
しかしながら、上述した従来の映像再生出力装置は、ＣＣ情報のみがアナログ映像のＶＢＩに重畳されるだけで、Ｖ−ＣＨＩＰと呼ばれる視聴制限のためのパレンタル情報が重畳されていなかった。従って、例えば、ＶＣＲ、またはＤＶＤ等の録画機器に記憶して、後日視聴する場合に、未成年者には有害な映像であるにもかかわらず、視聴者の親が視聴制限をかけることができず、視聴者の子供が有害な映像を見てしまうという問題があった。すなわち、このような従来のデジタル放送受信機のアナログコンポシットビデオ出力端子等から出力される映像信号を視聴する場合には、視聴制限が有効に動作しないという課題があった。
【０００６】
本発明は、デジタル放送受信機などにおいて、アナログコンポシットビデオ出力端子等から出力される映像信号を視聴や録画する場合であっても、視聴制限が有効に動作することが可能な映像再生出力装置及び映像再生出力方法を提供することを目的とする。
【課題を解決するための手段】
【０００７】
上述した課題を解決するために、本発明の映像再生出力装置は、デジタル放送を受信する受信手段と、受信手段が受信したデジタル放送から、映像データ及び映像データに関する関連情報を復元する復元手段と、復元手段が復元した関連情報から、視聴制限情報を抽出する視聴制限情報抽出手段と、復元手段が復元した映像データを、アナログ映像信号へと変換する映像変換手段と、視聴制限情報抽出手段が抽出した視聴制限情報を、映像変換手段が変換したアナログ映像信号へ重畳して出力する出力手段とを具備する構成である。
【０００８】
また、本発明の映像再生出力方法は、受信したデジタル放送から復元された映像データを、アナログコンポシットビデオ信号に変換して出力する映像再生出力方法であって、映像データをアナログコンポシットビデオ信号に変換するステップと、デジタル放送におけるトランスポートストリームに含まれるＥＩＴ（Ｅｖｅｎｔ  Ｉｎｆｏｒｍａｔｉｏｎ  Ｔａｂｌｅ）、あるいはＰＭＴ（Ｐｒｏｇｒａｍ  Ｍａｐ  Ｔａｂｌｅ）を復元するステップと、ＥＩＴ（Ｅｖｅｎｔ  Ｉｎｆｏｒｍａｔｉｏｎ  Ｔａｂｌｅ）、あるいはＰＭＴ（Ｐｒｏｇｒａｍ  Ｍａｐ  Ｔａｂｌｅ）に含まれるｃｏｎｔｅｎｔ＿ａｄｖｉｓｏｒｙ＿ｄｅｓｃｒｉｐｔｏｒを抽出するステップと、ｃｏｎｔｅｎｔ＿ａｄｖｉｓｏｒｙ＿ｄｅｓｃｒｉｐｔｏｒに含まれる視聴制限情報を抽出するステップと、視聴制限情報を、アナログ映像信号の映像規格に基づいた視聴制限情報に変換するステップと、アナログコンポシットビデオ信号の垂直ブランキング期間に、変換された視聴制限情報を重畳して出力するステップとを有する。
【発明の効果】
【０００９】
本発明によれば、デジタル放送受信機などにおいて、アナログコンポシットビデオ出力端子等から出力される映像信号を視聴や録画する場合であっても、視聴制限が有効に動作することが可能な映像再生出力装置及び映像再生出力方法を提供することができる。
【発明を実施するための最良の形態】
【００１０】
以下、本発明による映像再生出力装置及び映像再生出力方法の実施の形態について図面を参照しながら詳細について説明する。
【００１１】
（第１の実施の形態）
図１は、本発明の第１の実施の形態に係る映像再生出力装置の構成例を示すブロック図である。第１の実施の形態では、本発明の映像再生出力装置の一実施形態であるデジタル放送受信機の一例を挙げて説明する。
【００１２】
図１において、チューナ１１は、アンテナ、あるいはケーブルから受信したデジタル放送電波に対して復調処理や誤り訂正処理等を施す。さらに、チューナ１１は、デジタル放送における各種データを有したパケットで構成されるビットストリームとしてのトランスポートストリームを出力する。また、チューナ１１は、目的の放送を受信するように制御部１９から指令される。チューナ１１により、受信手段が構成される。
【００１３】
制御部１９は、例えばマイクロコンピュータで実現される。制御部１９は、リモコンなどによりユーザ指示を入力するユーザ入力部１８からの指示情報に応じて、チューナ１１への選局制御を行なうとともに、後述する各部の制御やそのための処理を行なう。
【００１４】
チューナ１１からのトランスポートストリームは、トランスポートストリームデコーダ（以下、ＴＳデコーダと呼ぶ）１２に供給される。ＴＳデコーダ１２は、このトランスポートストリームから、目的とする番組のパケット単位のデータを抽出し、映像パケット、音声パケット、及び受信する放送に関した情報を有する情報データに分離して出力する。映像パケット、音声パケット、及び情報データは、それぞれ後述する映像デコーダ１４、音声デコーダ１３、及びサービス情報処理部２１に供給される。また、ＴＳデコーダ１２、映像デコーダ１４、及び音声デコーダ１３により、復元手段が構成される。
【００１５】
映像デコーダ１４は、供給された映像パケットからＭＰＥＧ（Ｍｏｔｉｏｎ  Ｐｉｃｔｕｒｅｓ  Ｅｘｐｅｒｔ  Ｇｒｏｕｐ）−２方式などに基づき圧縮符号化された符号化映像データを抽出する。さらに、映像デコーダ１４は、抽出した符号化映像データに対して伸張処理などを施し、映像データを復元する。このようにして、映像デコーダ１４により映像のデコード処理が実行される。また、復元された映像データは、後述する合成部２２を介して映像音声出力部１５に供給される。
【００１６】
音声デコーダ１３は、供給された音声パケットをデコード処理し、これにより音声データが復元される。また、復元された音声データも映像音声出力部１５に供給される。
【００１７】
映像音声出力部１５は、合成部２２から供給された映像データをモニタ等に表示できる映像信号に変換し、デジタル放送受信機の内部、あるいは外部のモニタ等を駆動する。さらに、映像音声出力部１５は、音声デコーダ１３から供給された音声データをスピーカ等に出力できる音声信号に変換し、デジタル放送受信機の内部、あるいは外部のスピーカ等を駆動する。このようにして、目的の番組の映像、音声等のコンテンツがモニタ、及びスピーカより呈示され、ユーザは、希望するコンテンツを視聴できる。なお、モニタ、及びスピーカは、デジタル放送受信機と一体化されたテレビジョン受信機の形態であっても、一体化されておらず外部接続するＳＴＢ（Ｓｅｔ  Ｔｏｐ  Ｂｏｘ）と呼ばれるセットトップボックスの形態であっても、またモニタ、及びスピーカが一体化されておらず、さらに番組の録画再生を主体としたＶＣＲやＤＶＤの形態であってもよい。
【００１８】
一方、ＴＳデコーダ１２で分離、抽出された情報データは、上述したようにサービス情報処理部２１に供給される。情報データは、番組や、受信に関連する情報を有しており、本実施の形態でのデジタル放送受信機は、これらの情報を利用して番組の受信動作や、番組のサービス情報の提供等を行なう。このサービス情報には、各々の番組のチャンネル番号、放送開始時刻、終了時刻、タイトル名、ジャンル、さらには、映像データに関連する関連情報としての字幕情報や、視聴制限を行なうためのパレンタル情報等が含まれている。サービス情報処理部２１は、ＴＳデコーダ１２で分離された情報データからサービス情報データを抽出し、図示しないメモリなどに記憶して管理する。
【００１９】
また、サービス情報処理部２１は、図示しないメモリなどに記憶したこれらの情報から、番組表を表示するためのＥＰＧ（Ｅｌｅｃｔｒｏｎｉｃ  Ｐｒｏｇｒａｍ  Ｇｕｉｄｅ）データを作成し、合成部２２に供給する。合成部２２は、制御部１９からの番組表表示の指令に基づき、供給されたＥＰＧデータと映像デコーダ１４からの映像データとを合成、あるいは切り替え、映像音声出力部１５へ出力する。これによって、ユーザは、希望に応じた番組表を見ることができる。
【００２０】
さらに、サービス情報処理部２１は、ＴＳデコーダ１２からのサービス情報に含まれるパレンタル情報を利用して、パレンタル制御、すなわち、視聴制限に関する処理も実行する。パレンタル情報は、例えば米国ではＶ−ＣＨＩＰと呼ばれ、親など権限のあるユーザが子供などに対し、視聴させたくない番組の視聴を個別に制限するのに利用されている。また、デジタル放送では、このようなパレンタル情報は、パケット識別子などを格納したＰＭＴ（Ｐｒｏｇｒａｍ  Ｍａｐ  Ｔａｂｌｅ）や、サービス情報等を格納したＥＩＴ（Ｅｖｅｎｔ  Ｉｎｆｏｒｍａｔｉｏｎ  Ｔａｂｌｅ）に、“ｃｏｎｔｅｎｔ＿ａｄｖｉｓｏｒｙ＿ｄｅｓｃｒｉｐｔｏｒ”などと呼ばれる記述子の形態で格納されて送出される。“ｃｏｎｔｅｎｔ＿ａｄｖｉｓｏｒｙ＿ｄｅｓｃｒｉｐｔｏｒ”には、視聴を制限する年齢など、視聴制限の各段階を示すレーティング（Ｒａｔｉｎｇ）情報なども含まれている。具体的には、各番組はレーティング情報によって、例えば年齢に関係なく視聴してもよい番組や、１３才以上であれば視聴してもよい番組などに分けられる。
【００２１】
デジタル放送受信機では、このようなパレンタル情報によって一般的に次のような動作を行なう。すなわち、ユーザが所望の番組を選択すると、デジタル放送受信機は、その番組に関連するパレンタル情報を確認して、視聴制限された番組であるか否かを判定する。視聴制限されておれば、デジタル放送受信機は、ユーザに、例えばパスワード等の入力操作を要求する。デジタル放送受信機は、パスワードの認証が正しく行なえた場合、視聴制限を解除し、これにより、そのユーザは権限のあるユーザとして選択した番組を視聴することができる。また、パスワードを有しないユーザは、視聴制限を解除できず、その番組を視聴することができない。このようにして、視聴制限された番組において、デジタル放送受信機がユーザを選別するように動作することで、パレンタル制御が行なわれる。
【００２２】
サービス情報処理部２１は、このようなパレンタル制御に関する処理を行なうため、まず、ユーザの指示により視聴しようとする番組が、パレンタル規制、すなわち視聴制限された番組であるかどうかを判定し、判定結果を制御部１９に通知する。制御部１９は、判定結果に基づき、視聴制限された番組の場合には、ユーザに対しパスワード等の入力を要求する。制御部１９は、このような処理を実行し、視聴制限を実行するかどうかの視聴制御情報をサービス情報処理部２１に通知する。サービス情報処理部２１は、制御部１９からの視聴制御情報に基づきパレンタル制御信号を生成し、このパレンタル制御信号によりミュート部２３を制御する。ミュート部２３は、映像音声出力部１５に対し、映像信号、及び音声信号を出力するか否かを制御する。すなわち、サービス情報処理部２１からミュート部２３に対し、視聴制限を実行するよう指示されたとき、ミュート部２３が映像音声出力部１５に対し、映像信号、及び音声信号の出力を停止するよう制御する。このようにして、視聴制限された番組を受信した場合、ユーザの権限に応じて選択的に番組の呈示が制御されるパレンタル制御が実現される。
【００２３】
サービス情報処理部２１は、以上のような機能を有しており、サービス情報処理部２１は、ＴＳデコーダ１２などで構成される復元手段が復元した関連情報から、番組の呈示を制御するためのパレンタル情報である視聴制限情報を抽出する視聴制限情報抽出手段として機能する。
【００２４】
さらに、本発明は、受信したデジタル放送から復元した映像データを、アナログ映像信号の標準方式であるＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式に準拠するコンポシットビデオ信号に変換し、このコンポシットビデオ信号をデジタル放送受信機外部に出力する機能を有することを特徴とする。なお、以下、ＮＴＳＣコンポシットビデオ信号を出力するとして説明するが、他の方式であるＰＡＬ方式やＳＥＣＡＭ方式に準拠したコンポシットビデオ信号を出力する構成であってもよい。また、特に、本発明では、出力するコンポシットビデオ信号のＶＢＩ（Ｖｅｒｔｉｃａｌ  Ｂｌａｎｋｉｎｇ  Ｉｎｔｅｒｖａｌ）と呼ばれる垂直ブランキング期間に、上述したパレンタル情報を含む各種情報を挿入したコンポシットビデオ信号を出力することを特徴とする。
【００２５】
合成部２２から出力される映像データは、ＮＴＳＣエンコーダ３１に供給される。ＮＴＳＣエンコーダ３１は、供給された映像データをＮＴＳＣ方式のコンポシットビデオ信号に変換する。さらに、変換されたコンポシットビデオ信号はＶＢＩ処理部３２に供給される。また、ＮＴＳＣエンコーダ３１は、復元手段が復元した映像データを、アナログ映像信号へ変換する映像変換手段として機能する。
【００２６】
ＶＢＩ処理部３２は、ＮＴＳＣエンコーダ３１から供給されるコンポシットビデオ信号のＶＢＩの水平期間に各種情報をパケットとして挿入する処理を行なう。これにより、ＶＢＩ処理部３２からは、ＶＢＩに各種情報が重畳されたコンポシットビデオ信号が出力される。このコンポシットビデオ信号は、例えば、デジタル放送受信機外部の録画機器に接続され、アナログ録画に利用されたり、他のテレビジョン受信機等に接続され、他機器による視聴などに利用される。また、本実施の形態では、ＶＢＩ処理部３２は、次に説明するＸＤＳ情報生成部３３からのＸＤＳパケット情報を、ＶＢＩの所定の水平期間に挿入することを特徴とする。また、ＶＢＩ処理部３２は、視聴制限情報抽出手段としてのサービス情報処理部２１が抽出したパレンタル情報、すなわち視聴制限情報に応じた情報を、ＮＴＳＣエンコーダ３１から出力されるアナログ映像信号へ重畳して出力する出力手段として機能する。
【００２７】
サービス情報処理部２１により抽出されたパレンタル情報は、ＸＤＳ情報生成部３３に供給される。ＸＤＳ情報生成部３３は、供給されたパレンタル情報に基づき、ＶＢＩ処理部３２から出力するコンポシットビデオ信号に対応したパレンタル情報を生成し、この生成したパレンタル情報をＸＤＳパケット情報としてＶＢＩ処理部３２に供給する。すなわち、ＸＤＳ情報生成部３３は、デジタル放送におけるパレンタル情報を、アナログ映像信号の標準方式に対応したパレンタル情報に変換する機能を有している。このような機能を実現するため、本発明では、パレンタル情報変換テーブル３４をさらに備えている。
【００２８】
パレンタル情報変換テーブル３４は、デジタル放送の規格に基づくパレンタル情報とアナログ映像信号の標準方式に対応したパレンタル情報との対比をあらかじめ定めて記録した変換テーブルである。パレンタル情報変換テーブル３４は、メモリ等で構成され、例えばデジタル放送規格の各レーティングに対応づけて、アナログ映像方式規格の各レーティングをデータとして記憶する。ＸＤＳ情報生成部３３は、このパレンタル情報変換テーブル３４を参照し、サービス情報処理部２１からのデジタル放送の規格に基づくパレンタル情報から、アナログ映像信号の標準方式に対応したパレンタル情報を含むＸＤＳパケット情報を生成する。
【００２９】
また、ＸＤＳ情報生成部３３、及びパレンタル情報変換テーブル３４により、視聴制限情報抽出手段としてのサービス情報処理部２１が抽出したパレンタル情報、すなわち視聴制限情報を、ＮＴＳＣエンコーダ３１により変換したアナログ映像信号の映像規格に対応したパレンタル情報である視聴制限情報に変換する視聴制限情報変換手段としての機能が実現される。
【００３０】
なお、アナログ映像信号の標準方式において、ＶＢＩに各種情報を重畳し各種サービスを行なう一例として、例えば米国などでサービスが開始されつつあるＸＤＳ（Ｅｘｔｅｎｄｅｄ  Ｄａｔａ  Ｓｅｒｖｉｃｅｓ）と呼ばれる拡張データサービスがある。このＸＤＳは、米国における規格であるＥＩＡ（Ｅｌｅｃｔｒｏｎｉｃ  Ｉｎｄｕｓｔｒｉｅｓ  Ａｓｓｏｃｉａｔｉｏｎ）−６０８に規定されている。このＸＤＳのサービスの一つとして、パレンタル情報を含むＸＤＳデータを利用したパレンタル制御がある。ＸＤＳにおいても、上述したようなレーティングデータが提供され、アナログテレビジョン放送の受信機や、記録されたアナログ映像信号を再生するＤＶＤなどの録画再生機器における視聴制限に利用されている。
【００３１】
ＸＤＳでは、ＮＴＳＣ方式のコンポシットビデオ信号において、ＶＢＩ中の第２フィールドの２１番目の水平走査線であるライン２１上に、拡張データあるＸＤＳデータが重畳される。これにより、例えばアナログテレビジョン放送では、パレンタル情報を含むＸＤＳデータが多重化され、番組とともに伝送される。
【００３２】
本実施の形態のＸＤＳ情報生成部３３は、このようなＸＤＳに基づくパレンタル情報を生成し、ＶＢＩ処理部３２が、ＸＤＳ情報生成部３３により生成されたパレンタル情報を含むＸＤＳデータを、ＶＢＩのライン２１上に挿入する。
【００３３】
なお、本実施の形態では、このようなＸＤＳに対応したデジタル放送受信機を挙げて説明するが、本発明は、このようなＸＤＳに限定されず、ＶＢＩを利用したパレンタル制御に関するサービスに対し、各国や規格にそれぞれ対応させて適用することが可能である。特に、パレンタル情報変換テーブル３４に複数の国や規格に対応させた情報をそれぞれ格納しておくことで、広範囲なパレンタル制御に関するサービスに容易に適用させることができる。
【００３４】
以下、このように構成された本実施の形態のデジタル放送受信機の動作について説明する。
【００３５】
図２は、本発明の第１の実施の形態のデジタル放送受信機を含むデジタル放送システムの構成を示す図である。図２に示すように、放送衛星９１からの衛星波、放送送出装置９２からの地上波、あるいはケーブル局のケーブル送出装置９３からの放送波が送信されることでデジタル放送が行なわれる。送信されたこれらのデジタル放送電波は、各ユーザが所持するデジタル放送受信機等で受信され、デジタル放送の各番組がユーザに呈示される。図２では、デジタル放送電波を本デジタル放送受信機１００で受信した一例を挙げている。ここでは、特に、本デジタル放送受信機１００の特徴とする機能、すなわち、デジタル放送に付加されたパレンタル情報をアナログ映像信号の標準方式に対応したパレンタル情報に変換し、変換したパレンタル情報をコンポシットビデオ信号に重畳して出力するための機能を機能ブロックとして示している。
【００３６】
デジタル放送システムにおいて、パレンタル情報は上述したＥＩＴやＰＭＴに、“ｃｏｎｔｅｎｔ＿ａｄｖｉｓｏｒｙ＿ｄｅｓｃｒｉｐｔｏｒ”と呼ばれる記述子として送出される。図３は、デジタル放送における各信号の様子を示した図である。図３に示すように、デジタル放送電波は、放送のためのデータ列がトランスポートストリームと呼ばれるビットストリームの形態で変調されて送出される。このようなデジタル放送電波は、チューナ１１でトランスポートストリーム３０１に復元される。トランスポートストリーム３０１は、映像パケット３１４、音声パケット３１３、ＰＭＴパケット３１１、ＥＩＴパケット３１２を含むパケット列で構成される。さらに、ＰＭＴパケット３１１、あるいはＥＩＴパケット３１２には、レーティング情報を含むｃｏｎｔｅｎｔ＿ａｄｖｉｓｏｒｙ＿ｄｅｓｃｒｉｐｔｏｒ４００が格納されている。本発明の映像再生出力装置は、このｃｏｎｔｅｎｔ＿ａｄｖｉｓｏｒｙ＿ｄｅｓｃｒｉｐｔｏｒ４００に格納されたレーティング情報などのパレンタル情報に基づき、ＸＤＳパケット情報を生成し、ＶＢＩに重畳してコンポシットビデオ信号を出力する。
【００３７】
図２に示すように、デジタル放送受信機１００は、まず、トランスポートストリーム３０１からＥＩＴ、及びＰＭＴを抽出する。次に、デジタル放送受信機１００は、ＥＩＴ、あるいはＰＭＴから、ｃｏｎｔｅｎｔ＿ａｄｖｉｓｏｒｙ＿ｄｅｓｃｒｉｐｔｏｒ４００を抽出し、現在受信中の番組におけるレーティング情報などを抽出する。このような受信したデジタル放送におけるレーティング情報を含めたパレンタル情報は、アナログ映像標準規格に対応したレーティング情報に変換される。さらに、変換されたレーティング情報がアナログコンポシットビデオ信号のＶＢＩのライン２１に重畳され、ＮＴＳＣやＰＡＬ方式のコンポシットビデオ信号として出力される。
【００３８】
次に、本発明の特徴とする、デジタル放送におけるパレンタル情報をアナログ映像信号の標準方式に対応したパレンタル情報に変換する動作について詳細に説明する。
【００３９】
図４は、デジタル放送におけるｃｏｎｔｅｎｔ＿ａｄｖｉｓｏｒｙ＿ｄｅｓｃｒｉｐｔｏｒ４００の構造を示す図である。また、図５は、ＸＤＳにおけるパレンタル情報に関するデータの詳細を示す図であり、図６は、さらに詳細なレーティング情報などを示した図である。また、図７は、本発明のパレンタル出力処理を示すフローチャートである。すなわち、図７では、図４に示すｃｏｎｔｅｎｔ＿ａｄｖｉｓｏｒｙ＿ｄｅｓｃｒｉｐｔｏｒ４００に基づき、図５、図６に示すＸＤＳの形式に対応したＸＤＳパケットを生成し、アナログコンポシットビデオ信号にＸＤＳパケットを重畳するまでの処理の手順を示している。
【００４０】
以下、図７で示す手順を中心に、図４から図６までを参照しながら、本発明のパレンタル出力処理について説明する。
【００４１】
図７のステップＳ７１０において、ＥＩＴ、あるいはＰＭＴから、ｃｏｎｔｅｎｔ＿ａｄｖｉｓｏｒｙ＿ｄｅｓｃｒｉｐｔｏｒ４００が抜き出される。すなわち、図１において、サービス情報処理部２１が供給されたＥＩＴ、ＰＭＴの情報からｃｏｎｔｅｎｔ＿ａｄｖｉｓｏｒｙ＿ｄｅｓｃｒｉｐｔｏｒ４００を抽出する。
【００４２】
次に、ステップＳ７１２において、ｃｏｎｔｅｎｔ＿ａｄｖｉｓｏｒｙ＿ｄｅｓｃｒｉｐｔｏｒ４００から、ｒａｔｅｄ＿ｄｉｍｅｎｓｉｏｎｓ４０１が読み出される。すなわち、サービス情報処理部２１は、抽出したｃｏｎｔｅｎｔ＿ａｄｖｉｓｏｒｙ＿ｄｅｓｃｒｉｐｔｏｒ４００を解析し、まず、このｒａｔｅｄ＿ｄｉｍｅｎｓｉｏｎｓ４０１を検出する。ｒａｔｅｄ＿ｄｉｍｅｎｓｉｏｎｓ４０１は、視聴制限の種類を示す情報である。このような視聴制限の種類として、例えば、米国の映画団体であるＭＰＡ（Ｍｏｔｉｏｎ  Ｐｉｃｔｕｒｅ  Ａｓｓｏｃｉａｔｉｏｎ）の規格に基づく視聴制限や、米国テレビジョン（ＵＳＴＶ）、あるいはカナダテレビジョンの規格に基づく視聴制限などがある。また、ｒａｔｅｄ＿ｄｉｍｅｎｓｉｏｎｓ４０１には、例えばＭＰＡと米国テレビジョンというように複数種類の視聴制限が適応されているという情報も含まれる。
【００４３】
次に、ステップＳ７１４において、ｒａｔｅｄ＿ｄｉｍｅｎｓｉｏｎｓ４０１で指定されたループ回数、すなわち、適応されている視聴制限の種類数の処理が終了したかどうかを確認する。ループ回数分の処理が終了した場合には、ステップＳ７２２に進む。また、ループ回数分の処理が終了しない場合には、ステップＳ７１６に進む。
【００４４】
ステップＳ７１６において、ｃｏｎｔｅｎｔ＿ａｄｖｉｓｏｒｙ＿ｄｅｓｃｒｉｐｔｏｒ４００からｒａｔｉｎｇ＿ｖａｌｕｅ４０２が読み出される。すなわちサービス情報処理部２１は、ｃｏｎｔｅｎｔ＿ａｄｖｉｓｏｒｙ＿ｄｅｓｃｒｉｐｔｏｒ４００をさらに解析し、このｒａｔｉｎｇ＿ｖａｌｕｅ４０２を検出する。ｒａｔｉｎｇ＿ｖａｌｕｅ４０２は、先に検出したｒａｔｅｄ＿ｄｉｍｅｎｓｉｏｎｓ４０１により示される種類におけるレーティングの段階を示す情報である。
【００４５】
次に、ステップＳ７１８において、検出したｒａｔｅｄ＿ｄｉｍｅｎｓｉｏｎｓ４０１、及びｒａｔｉｎｇ＿ｖａｌｕｅ４０２の基づき、ＸＤＳデータが生成される。すなわち、ＸＤＳ情報生成部３３は、パレンタル情報変換テーブル３４を参照し、サービス情報処理部２１からのデジタル放送の規格に基づくパレンタル情報としてのｒａｔｅｄ＿ｄｉｍｅｎｓｉｏｎｓ４０１、及びｒａｔｉｎｇ＿ｖａｌｕｅ４０２から、アナログ映像信号の標準方式に対応したパレンタル情報であるＸＤＳデータを生成する。このようにして、ＸＤＳデータが生成される。
【００４６】
次に、ステップＳ７２０において、生成したＸＤＳデータを用いてＸＤＳパケットが生成される。すなわち、ＸＤＳ情報生成部３３は、ステップＳ７１８で生成したＸＤＳデータを図５に示すＸＤＳパケットに対応したフォーマットに編集し、コンポシットビデオ信号に挿入するためのＸＤＳパケット情報を生成する。
【００４７】
以上、ステップＳ７１６からステップＳ７２０において、一つの視聴制限の種類に対応したＸＤＳパケット情報が生成される。また、ステップＳ７２０の後、ステップＳ７１４に戻る。このようなステップＳ７１６からステップＳ７２０までの処理が、ｒａｔｅｄ＿ｄｉｍｅｎｓｉｏｎｓ４０１で指定された回数だけ繰り返される。
【００４８】
さらに、ステップＳ７２２において、コンポシットビデオ信号のＶＢＩにステップＳ７２０で生成したＸＤＳパケット情報が重畳される。すなわち、ＶＢＩ処理部３２がＸＤＳ情報生成部３３からのＸＤＳパケット情報をＶＢＩのライン２１に挿入する。
【００４９】
以上、図７に従った手順による処理を実行することにより、本発明の映像再生出力装置における映像再生出力方法が実現される。
【００５０】
図８は、図７で説明したパレンタル処理の具体的な一例を示す図である。図８では、図７での各ステップに対応させた、具体的な一例を示している。また、図８では、説明を簡略にするために、ＭＰＡがＰＧ−１３、及びＵＳＴＶがＴＶ−ＰＧの場合の例を挙げている。
【００５１】
まず、本デジタル放送受信機では、図７でのステップＳ７１０で示したように、図３のトランスポートストリーム３０１のＰＭＴ３１１、ＥＩＴ３１２からｃｏｎｔｅｎｔ＿ａｄｖｉｓｏｒｙ＿ｄｅｓｃｒｉｐｔｏｒ４００が抽出される。
【００５２】
次に、図８のステップＳ７１２に示すように、ｃｏｎｔｅｎｔ＿ａｄｖｉｓｏｒｙ＿ｄｅｓｃｒｉｐｔｏｒ４００中のｒａｔｅｄ＿ｄｉｍｅｎｓｉｏｎｓ４０１を参照して、トランスポートストリーム３０１に存在する視聴制限の種類を判定する。この例では、ｒａｔｅｄ＿ｄｉｍｅｎｓｉｏｎｓ４０１が「２」であり、これによってＭＰＡとＵＳＴＶの２種類が用いられていることが検出される。また２種類が用いられていることより、２回のループ処理が必要であると判定される。
【００５３】
１回目のループ処理において、ＭＰＡのパレンタル情報を入手する。図８では、ＭＰＡのｒａｔｉｎｇ＿ｖａｌｕｅ４０２が「３」である例を挙げている。この場合、ＸＤＳ情報生成部３３は、図６（ａ）に示したような情報を格納したパレンタル情報変換テーブル３４を参照し、その結果、“ＰＧ−１３”ということがわかる。さらに、図５に示したＸＤＳパケットのフォーマットを参照し、ＭＰＡの場合は、ａ１、ａ０は共に「０」とする。また、この場合は“ＰＧ−１３”なので、ｒ２は「０」、ｒ１は「１」、ｒ０は「１」ということがわかる。
【００５４】
次に、２回目のループ処理において、ＵＳＴＶのパレンタル情報を入手する。図８では、ＵＳＴＶのｒａｔｉｎｇ＿ｖａｌｕｅ４０２が「４」である例を挙げている。この場合には、ＸＤＳ情報生成部３３は、図６（ｂ）に示したような情報を格納したパレンタル情報変換テーブル３４を参照し、その結果、“ＴＶ−ＰＧ”ということがわかる。さらに、図５に示したＸＤＳパケットのフォーマットを参照し、ＵＳＴＶの場合は、ａ１は「０」、ａ０は「１」とする。また、この場合は“ＴＶ−ＰＧ”なので、Ｖ、Ｓ、Ｌ、Ｄは全て「１」ということがわかる。
【００５５】
このようにして、図８のステップＳ７２０で示すようなＸＤＳパケットが生成される。なお、この例のように複数種類の視聴制限に対応する場合には、全ての種類のＸＤＳパケットをＶＢＩ重畳する構成とするが、例えば、優先度をあらかじめ設定しておき優先度の高い方を選択したり、あるいは、ユーザにより選択できるようにしておき、選択された方をＶＢＩ重畳するような構成としてもよい。また、上述以外の視聴制限、例えば、“ＮＣ−１７”、“Ｘ”、“ＴＶ−ＭＡ”の場合等については、上記説明と同様の処理がなされるため説明を省略する。また、図５（ｂ）でのカナダで用いられる視聴制限の情報が使用された場合も、同様の方法で処理し、パレンタル情報をアナログＶＢＩに重畳することが可能である。
【００５６】
（第２の実施の形態）
図９は、本発明の第２の実施の形態に係る映像再生出力装置の構成例を示すブロック図である。第２の実施の形態においても、本発明の映像再生出力装置の一実施形態であるデジタル放送受信機の一例を挙げて説明する。なお、図９に示す第２の実施の形態では、図１でのＸＤＳ情報生成部３３に代えて、ＶＢＩ情報生成部４３を設けているところが異なっている。また、図１０は、本発明の第２の実施の形態のデジタル放送受信機を含むデジタル放送システムの構成を示す図である。
【００５７】
以下、図９、及び図１０を参照しながら、第２の実施の形態のデジタル放送受信機２００の構成、及び動作について説明する。
【００５８】
図９に示すように、ＶＢＩ情報生成部４３は、サービス情報処理部２１からパレンタル情報に加えて、ＥＡＳ（Ｅｍｅｒｇｅｎｔ  Ａｌｅｒｔ  Ｓｙｓｔｅｍ）情報、さらには映像デコーダ１４からＣＣ（Ｃｌｏｓｅｄ  Ｃａｐｔｉｏｎ）情報が供給される。なお、ＥＡＳとは、竜巻等の緊急情報をＴＶ放送に多重して送信するサービスのことである。
【００５９】
ＶＢＩ情報生成部４３は、供給されたパレンタル情報、ＥＡＳ情報、及びＣＣ情報に基づき、ＶＢＩ処理部３２から出力するコンポシットビデオ信号に対応したパレンタル情報を格納したＸＤＳパケット情報を生成するとともに、ＥＡＳ情報やＣＣ情報を格納したＸＤＳパケット情報も生成する。すなわち、ＶＢＩ情報生成部４３は、図１０に示すように、ＥＡＳ情報やＣＣ情報を、ＸＤＳパケットに対応するように編集する機能を有している。さらに、ＶＢＩ情報生成部４３は、生成したパレンタル情報、ＥＡＳ情報、ＣＣ情報などを含むＸＤＳパケットをＶＢＩ処理部３２に供給する。また、ＶＢＩ処理部３２は、ＶＢＩ情報生成部４３により生成されたそれぞれのＸＤＳパケットを、ＶＢＩのライン上に挿入する。これにより、本デジタル放送受信機２００からは、パレンタル情報とともに、ＥＡＳ情報やＣＣ情報が重畳されたコンポシットビデオ信号が出力される。
【００６０】
なお、本デジタル放送受信機２００からは、パレンタル情報とともに、ＥＡＳ情報とＣＣ情報の双方の情報が重畳されてもよく、またいずれか一方でもよく、さらにはその他の情報との組合せであってもよい。
【産業上の利用可能性】
【００６１】
本発明は、視聴者の子供が有害な映像を見ることを禁止することができ、また、竜巻等の緊急情報をＴＶ放送に多重して送信された情報を視聴することができる。よって、本発明は、デジタル映像を受信しアナログ映像信号として出力する機能を有した機器に適用でき、このような機能を備えたデジタル放送受信機、ＳＴＢ、ＶＣＲ、ＤＶＤ、あるいはその他の機器に利用することが可能である。
【図面の簡単な説明】
【００６２】
【図１】本発明の第１の実施の形態に係る映像再生出力装置の構成例を示すブロック図
【図２】本発明の第１の実施の形態におけるデジタル放送システムの構成を示す図
【図３】デジタル放送における各信号の様子を示した図
【図４】デジタル放送におけるｃｏｎｔｅｎｔ＿ａｄｖｉｓｏｒｙ＿ｄｅｓｃｒｉｐｔｏｒの構造を示す図
【図５】ＸＤＳにおけるパレンタル情報に関するデータの詳細を示す図
【図６】ＸＤＳにおけるさらに詳細を示した図
【図７】本発明におけるパレンタル出力処理を示すフローチャート
【図８】本発明の第１の実施の形態におけるパレンタル処理の具体的な一例を示す図
【図９】本発明の第２の実施の形態に係る映像再生出力装置の構成例を示すブロック図
【図１０】本発明の第２の実施の形態におけるデジタル放送システムの構成を示す図
【図１１】従来のデジタル放送受信機の構成を示すブロック図
【符号の説明】
【００６３】
１１    チューナ
１２    ＴＳデコーダ
１３    音声デコーダ
１４    映像デコーダ
１５    映像音声出力部
１８    ユーザ入力部
１９    制御部
２１，９９１    サービス情報処理部
２２    合成部
２３    ミュート部
３１    ＮＴＳＣエンコーダ
３２    ＶＢＩ処理部
３３    ＸＤＳ情報生成部
３４    パレンタル情報変換テーブル
４３    ＶＢＩ情報生成部
９１    放送衛星
９２    放送送出装置
９３    ケーブル送出装置
１００，２００    デジタル放送受信機
３０１    トランスポートストリーム
３１１    ＰＭＴパケット
３１２    ＥＩＴパケット
３１３    音声パケット
３１４    映像パケット
４００    ｃｏｎｔｅｎｔ＿ａｄｖｉｓｏｒｙ＿ｄｅｓｃｒｉｐｔｏｒ
４０１    ｒｅｔｅｄ＿ｄｉｍｅｎｓｉｏｎｓ
４０２    ｒａｔｉｎｇ＿ｖａｌｕｅ
【図１】
2006033677.tif 000003
【図２】
2006033677.tif 000004
【図３】
2006033677.tif 000005
【図４】
2006033677.tif 000006
【図５】
2006033677.tif 000007
【図６】
2006033677.tif 000008
【図７】
2006033677.tif 000009
【図８】
2006033677.tif 000010
【図９】
2006033677.tif 000011
【図１０】
2006033677.tif 000012
【図１１】
2006033677.tif 000013